(57)【要約】      （修正有）【課題】  小物商品の展示に使用できるディスプレイ装置で、限られた狭い展示スペースの中で、商品の数量の多い少ないに関係なく、常にその商品の存在をアピールできるようにすること。【解決手段】両側面板２，３の間に小物商品を収納する複数段の棚４〜７を形成し、該各棚内を小物商品に合わせて少なくとも１箇所に仕切壁を設けて複数の収納スペースを形成し、該各棚毎の前面に、各収納スペース内に収納される小物商品の写真１６を付けた蓋板１１〜１３を垂下状態に取り付け、該蓋板に、前記収納スペース毎に商品の有無が透視できる窓部１５を設ける。【選択図】  図１
2005107174.tif 000002
【特許請求の範囲】
【請求項１】
両側面板の間に小物商品を収納する複数段の棚を形成し、
該各棚内を小物商品に合わせて少なくとも１箇所に仕切壁を設けて複数の収納スペースを形成し、
該各棚毎の前面に、各収納スペース内に収納される小物商品の写真を付けた蓋板を垂下状態に取り付け、
該蓋板に、前記収納スペース毎に商品の有無が透視できる窓部を設けたこと
を特徴とするディスプレイ装置。
【請求項２】
両側面板の背面側に、鈎状の係止部を設けたこと
を特徴とする請求項１に記載のディスプレイ装置。
【発明の詳細な説明】
【技術分野】
【０００１】
本発明は、例えば、シェーバーとかその替え刃の付属品等の小物商品の多品種を狭い展示スペースに、その存在を広くアピールするようにディスプレイすることができるディスプレイ装置に関するものである。
【背景技術】
【０００２】
一般に、この種の小物商品の販売においては、各店舗での売り場のディスプレースペースが狭く制限されており、そのために種々の小物商品は棚の間隔を狭くした陳列用棚に並べるか、または、制限された狭いスペースの中で吊り下げた状態でディスプレイまたは陳列するようにして販売している。
【０００３】
商品陳列用スペースを効率的に活用できるようにした商品陳列ケースが公知になっている。この商品陳列ケースは、底板上に固定した支柱間に係止用ロッドを多段に設け、且つ同係止用ロッドに係止した商品陳列棚を多段に設けると共に、各商品陳列棚の高さを任意に調節可能とし、更にＵ字状保持部を下方部に有する商品見本展示用台を商品陳列棚の上方位置に着脱自在に設けたものであって、商品の販売数量等に応じて各陳列用棚の高さ、即ち各商品陳列棚間の間隔を適宜に広狭に調整可能となり、それによって商品陳列用スペースを有効に活用することができ、更に商品見本展示用台を介して購買者が展示用見本の内容を即座に一覧でき、商品の内容把握が容易となるというものである。
【特許文献１】特開２００３−１２５９０６号公報
【０００４】
しかしながら、この商品陳列ケースにおいては、商品の販売数量等に応じて各陳列用棚の高さを変えて、売れ行きの良い商品を棚内に多くストックしてスペースの活用を図ると共に、棚の上部に設けた商品見本展示用台に包装したままの商品を立て掛けて陳列するというものであるが、商品を包装したままでは、商品の形態まで解らず、アピール性に欠けるばかりでなく、小物商品には適用できないものである。
【０００５】
また、商品を吊り下げてディスプレイする商品陳列用具が公知になっている。この商品陳列用具は、商品が封入されたパッケージとパッケージに封入されていないその商品の見本とを陳列するための用具であって、パッケージ吊り下げ棒と商品見本保持板を先端に有する支持棒とを平行に前面側に突出させ、パッケージの孔に吊り下げ棒を挿通させて多数の商品を吊垂状態で展示させ、商品見本を保持板に設けた把持体に取り付けて展示させる構成を有するものであり、商品そのものをパッケージから出して見本として展示することによって、商品形態を確認できると共に商品を直接手で触って品質等を確認することができるというものである。
【特許文献２】特開２００１−９５６５７号公報
【０００６】
しかしながら、この吊り下げ式に展示した商品においては、前面側に商品見本を吊り下げて展示していることで商品のアピール性を有していると考えられるが、吊り下げ棒の先端部分が商品見本の保持板における下方の切り欠き部に臨んでいるとはいえ、例えば、前から２番目のパッケージを選んだ場合に、１番目のパッケージを抜き取ってから２番目のパッケージを抜き取り、１番目のパッケージを元に戻さなければならないが、その抜き取り及び元に戻す際に、前面側の商品見本が邪魔をしていてこれらの抜き取り及び元に戻す作業が困難であり、片手では商品選択ができないという問題点を有している。
【０００７】
また、その他にこの種の吊り下げ式に展示する商品においては、片手で容易に取り外したり元に戻したりできるように、包装体自体に鈎状の吊り下げ部材を取り付けた構成のものも公知になっているが、その鈎状の吊り下げ部材を取り付けるために、その分包装体を大きくしなければならず、且つ余分な鈎状部材も必要とすることから、余分に包装工程が掛かると共に、包装のためのコストも高くなり、しかも、吊り下げて展示するだけでは、商品の向く方向によって商品のアピール性に欠け、特に、展示商品の数量が少なくなるとその存在すら目に付かなくなるという問題点を有している。
更に、商品によっては、商品を剥き出しにして商品見本とすることができないものも多々ある。
【発明の開示】
【発明が解決しようとする課題】
【０００８】
従来例のディスプレイ装置において、解決しようとする課題は、小物商品の展示に使用でき、限られた小スペースの中で、商品の数量の多い少ないに関係なく、常にその商品の存在をアピールできるようにしたディスプレイ装置を提供することである。
【課題を解決するための手段】
【０００９】
本発明は、両側面板の間に小物商品を収納する複数段の棚を形成し、該各棚内を小物商品に合わせて少なくとも１箇所に仕切壁を設けて複数の収納スペースを形成し、該各棚毎の前面に、各収納スペース内に収納される小物商品の写真を付けた蓋板を垂下状態に取り付け、該蓋板に、前記収納スペース毎に商品の有無が透視できる窓部を設けたこと
を最も主要な特徴とするディスプレイ装置である。
【００１０】
本発明のディスプレイ装置は、両側面板の背面側に、鈎状の係止部を設けたこと、を付加的な要件として含むものである。
【発明の効果】
【００１１】
本発明のディスプレイ装置は、棚の前面側に商品の写真を付けた蓋板が設けられており、該蓋板は常に客側に向いているので、小スペースであっても複数の商品の存在をアピールする上で充分であり、しかも、棚内にストックした商品が少なくなっても、商品の存在とアピール性は低下しないばかりでなく、片手で蓋板を持ち上げながら商品を簡単に取り出すことができるのである。
更に、商品については、包装に余分なものは付ける必要がなく、スッキリと簡便に包装することができるので、個別の包装コストを最小限に抑えることができるばかりでなく、全体として嵩張らないので保管管理も容易になるのである。
【発明を実施するための最良の形態】
【００１２】
小スペースに複数の小物商品を効率よく且つ商品の存在にアピール性をもって展示できるようにするため、小物商品を収納する複数段の棚の前面に、各収納される小物商品の写真を付けた蓋板を垂下状態に取り付け、棚内に収納したストック商品が少なくなっても、その蓋板に付けた小物商品の写真を購買者が視認できるようにしたディスプレイ装置とすることによって、実現化したものである。
【実施例１】
【００１３】
図１は、本発明に係るディスプレイ装置の第１の実施例を示す斜視図であり、該ディスプレイ装置１は、例えば、樹脂板で形成した適宜高さと奥行き（幅）をもった両側面板２、３の間に、樹脂板からなる複数枚の棚板４〜７を配設して、例えば、三段の収納部を形成したものである。
【００１４】
この場合の側面板２、３は、ディスプレイ装置１を据え置き状態にセットした時に、安定性を付与するため、上端側よりも下端側の幅をやや広く形成してあり、特に、前面側に位置する端縁２ａ、３ａを傾斜させて形成し、また、棚板４〜７については、全体的に側面板２、３の奥行き（幅）よりも広く形成して、前面側にわずかに突出するように形成した方が良い。そして、底部の棚板４はその幅が一番広く形成され、二段目以降の棚板５〜７は順次幅を狭くして、全体が段々になるように形成した方が良い。
【００１５】
そして、各棚板４〜７間に形成された棚（収納部）に仕切壁８をそれぞれ設けて収納スペース９、１０を形成する。この場合の収納スペース９、１０は、例えば、収納スペース９がシェーバー（髭剃り）の本体部を収納するスペースであり、収納スペース１０が書のシェーバーの替え刃を入れる収納スペースである。
【００１６】
従って、収納される商品に対応して、仕切壁８による仕切位置が変えられるのであり、図示の実施例の場合は、商品の本体部が収納される収納スペース９を広く形成し、替え刃が収納される収納スペース１０は狭く形成される。そして、商品を収納する場合には、商品を横にして奥の方から順番に詰めて収納し、前方から取りやすくする。
【００１７】
各段の収納部の前面側に、該収納部の高さよりもわずかに狭い幅の蓋板１１、１２、１３を垂下状態にそれぞれ取り付け、該各蓋板には、前記収納スペース９、１０毎に商品の有無が透視できるように窓部１４、１５をそれぞれ設けると共に、各収納スペース９、１０に収納される商品の写真１６をカラーで目立つようにプリントしたものを取り付け、且つその付属部品であることの表示１７をしてある。なお、窓部１４、１５の周辺にも、商品の説明を表示しても良いのである。
【００１８】
また、棚板４〜７は、それぞれ前面側に突出した状態で取り付けられているので、その棚板の前面側に蓋板１１〜１３を取り付けても、各蓋板と側面板２、３との間が開いており、側面及び斜め前方から収納スペース９、１０内を覗くことができ、それによっても商品の有無を確認することができる。  
【００１９】
更に、この第１の実施例に係るディスプレイ装置１は、据え置き式に設置するだけでなく、適宜の部材に係止させて吊り下げ状態で使用することができる。そのために、両側面板２、３の背面側上部に鈎状の係止部１８を形成し、該係止部１８を例えば、金網状の支持部材１９に係止させることにより、壁掛け式にまたは他の陳列ケースの横等に吊り下げて効率よくディスプレーすることができるのである。
【００２０】
因みに、この第１の実施例に係るディスプレイ装置１のサイズは、側面板２、３が、例えば、高さが約１５０ｍｍで、奥行き（幅）が約１００ｍｍ程度であり、両側面板２、３の間隔、即ち棚板４〜７の長さは約１８０ｍｍ程度で、一方の収納スペース９の間口を約１２０ｍｍとし、他方の収納スペース１０の間口を約６０ｍｍ程度とし、三段の収納部の間隔はそれぞれ５０ｍｍ程度の比較的小寸法のディスプレイ装置である。
【実施例２】
【００２１】
図２は、本発明に係るディスプレイ装置の第２の実施例を示す正面図であり、該ディスプレイ装置２１も、前記第１の実施例と同様に、例えば、樹脂板で形成した適宜高さと奥行き（幅）をもった両側面板２２、２３の間に、樹脂板からなる複数枚の棚板２４〜２７を配設して、三段の収納部を形成したものである。
【００２２】
この第２の実施例に係るディスプレイ装置２１は、例えば、商品としてシェーバーの本体部だけを収納して展示するものであって、各棚部分を中央部で仕切壁２８により仕切って両側に同じ大きさの収納スペース２９、３０を形成するものである。
【００２３】
そして、各段の収納部の前面側に、前記第１の実施例と同様の収納部の高さよりもわずかに狭い幅の蓋板３１、３２、３３を垂下状態にそれぞれ取り付け、該各蓋板には、前記収納スペース２９、３０毎に商品の有無が透視できるように窓部３４、３５をそれぞれ設けると共に、各収納スペース２９、３０に収納される商品の写真３６、３７をカラーで目立つようにプリントしたものを取り付けてある。なお、窓部３４、３５の周辺にも、商品の説明を表示しても良いのである。
【００２４】
因みに、この第２の実施例に係るディスプレイ装置２１のサイズは、側面板２２、２３が、例えば、高さが約１５０ｍｍで、奥行き（幅）が約１００ｍｍ程度であり、両側面板２２、２３の間隔、即ち棚板２４〜２７の長さは約２２０ｍｍ程度で、三段の収納部の間隔はそれぞれ５０ｍｍ程度の比較的小寸法のディスプレイ装置である。
【実施例３】
【００２５】
図３は、本発明に係るディスプレイ装置の第３の実施例を示す正面図であり、該ディスプレイ装置４１も、前記第１及び第２の実施例と同様に、例えば、樹脂板で形成した適宜高さと奥行き（幅）をもった両側面板４２、４３の間に、樹脂板からなる複数枚の棚板４４〜４６を配設して、二段の収納部を形成したものである。
【００２６】
この第３の実施例に係るディスプレイ装置４１は、例えば、商品としてシェーバーの替え刃だけを収納して展示するものであって、各棚部分を仕切壁４７、４８により３つに仕切って略同じ大きさの収納スペース４９、５０、５１を形成するものである。
【００２７】
そして、各段の収納部の前面側に、前記第１の実施例と同様の収納部の高さよりもわずかに狭い幅の蓋板５２、５３を垂下状態にそれぞれ取り付け、該各蓋板には、前記収納スペース４９、５０、５１毎に商品の有無が透視できるように窓部５４、５５、５６をそれぞれ設けると共に、各収納スペース４９、５０、５１に収納される商品の写真５７、５８、５９をカラーで目立つようにプリントしたものを取り付けてある。なお、窓部５４、５５、５６の周辺にも、商品の説明を表示しても良いのである。
【００２８】
因みに、この第３の実施例に係るディスプレイ装置４１のサイズは、側面板４２、４３が、例えば、高さが約１００ｍｍで、奥行き（幅）が約８０ｍｍ程度であり、両側面板４２、４３の間隔、即ち棚板４４〜４６の長さは約１８０ｍｍ程度で、３つに仕切られた各収納スペース４９〜５１の間口を約６０ｍｍ程度とし、二段の収納部の間隔はそれぞれ５０ｍｍ程度の比較的小寸法のディスプレイ装置である。
【００２９】
前記した第１及び第２のディスプレイ装置１、２１、４１に、収納して展示する商品、即ち、シェーバー本体は、図４（Ａ）に示したように、ありふれた紙製の包装箱６０に収納して包装することができ、また、その替え刃についても、図４（Ｂ）に示したように、やはりありふれた紙製の包装箱６１に複数個の替え刃を収納して包装することができ、その商品の包装に掛かる工数及び及び包装材料も、余分なものが不要となることから、包装コストを下げることができると共に、全体が嵩張らないため商品の保管管理も容易になるのである。
【００３０】
なお、いずれの実施例に係るディスプレイ装置においても、各収納部の前面側に取り付けられた蓋板の取り付けに関しては、例えば、ビニールテープのような材料を用いて、蓋板の前面側と棚板の前面側上面とを連結するようにして取り付けることにより、各蓋板は前面側にわずかに傾斜した状態に吊垂されるので、片手で蓋板の下端面を持ち上げて内部の商品を簡単に取り出すことができるし、商品のカラー写真は蓋板に直接プリントしても良いし、また、紙などにプリントしたものを簡単に差し替えできるようにしても良いのである。
【産業上の利用可能性】
【００３１】
本発明に係るディスプレイ装置１、２１、４１は、シェーバー及びその付属品のみならず、その他の包装される小物商品の展示に使用することによって、その商品の展示スペースが限られた狭い領域であって、その狭い展示スペースにおいて展示商品の数量が少なくなっても、その確保されている領域の展示スペース全般に渡って、展示商品の写真がディスプレイされているので、その商品の存在をアピールすることができるのであり、商品の展示効果を高めることができ、全ての小物商品の展示に対して利用することができるのである。
【図面の簡単な説明】
【００３２】
【図１】本発明の具体的な第１の実施例に係るディスプレイ装置を示した斜視図である。
【図２】本発明の具体的な第２の実施例に係るディスプレイ装置を示した正面図である。
【図３】本発明の具体的な第３の実施例に係るディスプレイ装置を示した正面図である。
【図４】本発明に係るディスプレイ装置に収納して展示する商品の包装形態を示すものであり、（Ａ）図はシェーバー本体の包装形態を示し、（Ｂ）図はその替え刃の包装形態を示す斜視図である。
【符号の説明】
【００３３】
１、２１、４１  ディスプレイ装置
２、３、２２、２３、４２、４３  側面板
２ａ、３ａ  前面側端部
４〜７、２４〜２７、４４〜４６  棚板
８、２８、４７、４８  仕切壁
９、１０、２９、３０、４９、５０、５１  収納スペース
１１〜１３、３１〜３３、５２、５３  蓋板
１４、１５、３４、３５、５４〜５６  窓部
１６、３６、３７、５７〜５９  商品の写真
１７  付属品の表示
１８  鈎状の係止部
１９  金網状の支持部材
【図１】
2005107174.tif 000003
【図２】
2005107174.tif 000004
【図３】
2005107174.tif 000005
【図４】
2005107174.tif 000006